(57)【要約】【課題】海中の岩場、樹木等に固定できるとともに、海底であれば三脚としても利用でき、さらに浮遊中はダイバーに負担をかけずに運搬でき、あるいは中性浮力を利用してダイバーの近くの水中に浮遊状態にしておくことも可能なカメラ保持具を提供する。【解決手段】全天候型カメラＣをエアータンク９０に取り付けるカメラ等取付け部材１０と、エアータンク９０を海中の岩場や樹木Ｇに固定するエアータンク固定部材２０と、エアータンク９０の外壁の少なくとも一部を覆って内部に空気を取り込めるホースおよびジョイントを備えた容積可変部材３０と、前記容積可変部材３０の空気量を調節する空気量調整部材４０と、を備えている。【選択図】　　図１
2004125849.tif 000002
【特許請求の範囲】
【請求項１】
エアータンクを海中の岩場や樹木および海底に固定するエアータンク固定部材と、全天候型カメラあるいはカメラ収納具を前記エアータンクに取り付けるカメラ等取付け部材と、前記エアータンクの外壁の少なくとも一部を覆って内部に空気を取り込めるホースおよびジョイントを備えた容積可変部材と、前記容積可変部材の空気量を調節する空気量調整部材と、から構成されることを特徴とする水中でのカメラ固定具。
【請求項２】
前記エアータンク固定部材は、端部に締結部材を備えた帯状部材と、前記帯状部材に回転可能なクリッパを備えたことを特徴とする請求項１記載の水中でのカメラ固定具。
【請求項３】
前記カメラ等取付け部材は、端部に締結部材を備えた帯状部材と、前記帯状部材に９０度開閉可能な基台を備えたことを特徴とする請求項１又は２記載の水中でのカメラ固定具。
【請求項４】
前記容積可変部材が前記容積可変部材の空気量を調節する空気量調整部材を備えて成ることを特徴とする請求項１〜３のいずれか１項記載の水中でのカメラ固定具。
【発明の詳細な説明】
【０００１】
【発明の属する技術分野】
本発明は、水中で撮影をする際に全天候型カメラやカメラ収納具を海中に確実に固定できるカメラ固定具に関する。
【０００２】
【従来技術】
この種の先行技術としては、（１）折りたたみ傘形状で先端部にカメラを取り付ける三脚の構成を備えたもの（例えば、特許文献１参照。）や、（２）一端がクランプで他端にカメラを取り付けられるようにした屈曲自在棒からなるもの（例えば、特許文献２参照。）、それに、（３）浮体構造物の固定方法に関するもの（例えば、特許文献３参照。）等がある。
ところがこれらはすべて水中用の三脚として開示されたものではなく、またこれまでのところ、他に水中用の三脚として開示された特許文献は見あたらない。
【０００３】
【特許文献１】
登録実用新案第３０６６３１９号公報（図１）
【特許文献２】
実開平０６−８２６４２号公報（図１）
【特許文献３】
特許第２５７３６６０号公報（図２）
【０００４】
例えば上記特許文献１は海など水中までの運搬性に優れるが、水流が無く平滑・堅固な海底でない限り三脚自体の固定が困難である。
上記特許文献２は一端がクランプになっているが、偶々適当な形状の岩や樹木等が水中にないと固定できない。三脚に限らず、水中で物体を固定させることは浮力、海流の関係で困難である。
上記特許文献３においては、海底からの構築物を利用して磁石で浮遊物体の固定をしており、海底構築物がないと固定できない。
【発明が解決しようとする課題】
水中で撮影をする場合、陸上と違って光量が少ないため長時間露光で撮影したいことが多く、したがってなんらかの手段でカメラを固定する必要がある。
しかし、水流の中でわずかな揺らぎもなくカメラを固定することは困難なことなので、この代替手段としてはダイバーが手にもたずに簡易的に固定できることが望ましい。
本発明の目的はダイバーが水中でカメラを固定する簡易な手段を提供することにある。すなわち海中の岩場、樹木等に固定できるとともに、海底であれば三脚としても利用でき、さらに浮遊中はダイバーに負担をかけずに運搬でき、あるいは中性浮力を利用してダイバーの近くの水中に浮遊状態にしておくことも可能なカメラ保持具を提供する。
【０００５】
【課題を解決するための手段】
上記の課題を解決するために、請求項１記載の水中でのカメラ固定具の発明は、エアータンクを海中の岩場や樹木および海底に固定するエアータンク固定部材と、全天候型カメラあるいはカメラ収納具を前記エアータンクに取り付けるカメラ等取付け部材と、前記エアータンクの外壁の少なくとも一部を覆って内部にエアを取り込めるホースおよびジョイントを備えた容積可変部材と、前記容積可変部材の空気量を調節する空気量調整部材と、を備えて成ることを特徴とする。
請求項２記載の発明は、請求項１記載の水中でのカメラ固定具において、前記エアータンク固定部材が端部に締結部材を備えた帯状部材から成り、前記帯状部材に回転可能なクリップ部材を備えたことを特徴とする。
請求項３記載の発明は、請求項１記載の水中でのカメラ固定具において、前記カメラ等取付け部材が端部に締結部材を備えた帯状部材から成り、前記帯状部材に９０度開閉可能な基台を備えたことを特徴とする。
請求項４記載の発明は、請求項１〜３のいずれか１項記載の水中でのカメラ固定具において、前記容積可変部材が前記容積可変部材の空気量を調節する空気量調整部材を備えて成ることを特徴とする。
以上のように、ダイバーの補助用小型予備エアータンクは入手容易であり、携帯性もよいので、この小型エアータンクを利用してこれにカメラを固定し、またタンクの底面あるいは底面近くもしくは適当な位置にもうけたエアータンク固定部材で海底、岩場、樹木に安定して固定できるようになる。
また、小型タンクの周囲を覆う筒状の容積可変部材に小型タンク内の空気を入れることにより、タンク自体の浮力調整を可能として水中での運搬性、操作性も向上させることができる。
【０００６】
【発明の実施の形態】
以下、本発明の実施の形態について、図面を用いて詳細に説明する。
図１は本発明の実施の形態に係る水中でのカメラ固定具の全体図で，（ａ）は非使用状態、（ｂ）は海中での使用状態を示している。
図において、１０はカメラ等取付け部材、２０はエアータンク固定部材、３０は容積可変部材、４０は空気量調整部材であり、９０はエアータンクである。
本発明に係るカメラ固定具は３つの要素から成っている。１つはカメラ等取付け部材１０で、これにより全天候型カメラあるいはカメラ収納具をエアータンク９０に取り付けることが可能となる。２つはエアータンク固定部材２０で、これによりエアータンク９０を海中の岩場や樹木および海底に安定に固定することが可能となる。３つはエアータンク９０の外壁を覆う容積可変部材３０とこの容積可変部材３０内部の空気量を調節する空気量調整部材４０であり、これにより、元々重量のあるエアータンク９０を海中で軽々と運搬可能としかつ海底に安定して固定することが可能となる。
【０００７】
これらの３つの要素をそれぞれ図１（ａ）のようにエアータンク９０に取り付け、非使用状態においてはカメラ取り付け部材１０の固定部材１２は閉止しており、エアータンク固定部材２０のクランパ２２は閉止している。
このような３つの要素が取り付けられたエアータンク９０を海中で運搬する場合は、エアータンク９０のバルブを開き、空気量調整部材４０を介して容積可変部材３０の内部に給気していくと、容積可変部材３０の容積が増加し、したがって海中で浮力が増していく。その結果、エアータンク９０等の重量と容積可変部材３０の浮力が釣り合ったところで、中性浮力となりダイバーは本来重いエアータンク９０を軽々と運搬することができるようになる。
【０００８】
次に、海底に到着して水中撮影を行う段になると、エアータンク９０のバルブを閉じ、空気量調整部材４０を開いて容積可変部材３０内の空気を抜いていく。これに伴って容積可変部材３０の空気も空気量調整部材４０を介して抜けていき、浮力が次第に減っていく。
最終的にはエアータンク９０等の重量だけにして、海底に直立状態で立設する。このとき、図１（ｂ）のようにエアータンク固定部材２０のクランパ２２でエアータンク固定部材２０の近くの海草木Ｇの根本を固定すると、一層安定度が増すこととなる。そして、カメラ取り付け部材１０の固定部材１２を直角に開き、その上に水中カメラＣやカメラ固定具（水中カメラでない通常のカメラを収納する液密のもの）を固定することにより、三脚の代用となる。
このように本発明によれば元々海中での必需品であるエアータンク９０を利用するので特別な三脚が不要であり、しかも重量のあるエアータンク９０を本発明によれば海中で軽々と運搬可能となりかつ海底に安定して固定することが可能となるので、三脚よりも運搬性・安定性に富むものとなる。
以下、これらの各要素の具体的な構成と機能について説明する。
【０００９】
図２はカメラ等取付け部材１０の各種構成を示すもので、（ａ）はベルト型取付け部材、（ｂ）は面ファスナー型取付け部材、（ｃ）は筒型取付け部材の例である。
【００１０】
まず、（ａ）のベルト型取付け部材１０Ａについて説明する。
（ａ）のベルト型取付け部材１０Ａは、伸縮材で構成される帯状部１１Ａと、カメラ等固定部材１２と、バックル１３Ａと、調節穴１４Ａとから成り、またバックル１３Ａは口字状リング１３１とバックルピン１３２を有している。
【００１１】
そこでこのベルト型取付け部材１０Ａをエアータンク９０に取り付けるには、カメラ等固定部材１２を外側にして帯状部１１Ａをエアータンク９０の上部近傍に巻き付け、帯状部１１Ａ先端を口字状リング１３１の内部に通し、帯状部１１Ａ先端を強く引張した状態でバックルピン１３２を調節穴１４Ａに挿通すればよい。このようにすれば、ベルト型取付け部材１０Ａはエアータンク９０に確実に緊締されることができる。
このように緊締した状態で、次にカメラ等固定部材１２を図の閉止状態から直角に開くことによりこの上に水中カメラやカメラ固定具を固定することができる。これについては図３で詳述する。
【００１２】
なお、ここではベルト型取付け部材１０Ａのバックル１３Ａは口字状リング１３１とバックルピン１３２と調節穴１４Ａとから成るもので説明しているが、本発明はこれに限られるものではなく、ベルトをバックルに挿通し、バックルに回動取付の押圧部材でベルトをバックルに押圧・固定するタイプのものであってもよい。
【００１３】
次に、（ｂ）の面ファスナー型取付け部材１０Ｂについて説明する。
面ファスナー型取付け部材１０Ｂは、同じく伸縮材で構成される帯状部１１Ｂと、カメラ等固定部材１２と、面ファスナー１３Ｂ、１４Ｂとから成る。
そこでこの面ファスナー型取付け部材１０Ｂをエアータンク９０に取り付けるには、カメラ等固定部材１２を外側にして帯状部１１Ｂをエアータンク９０の上部近傍に巻き付け、帯状部先端を強く引張した状態で面ファスナー１３Ｂと１４Ｂを圧接すればよい。このようにすれば面ファスナー型取付け部材１０Ｂはエアータンク９０に簡単にかつ確実に緊締されることができる。
【００１４】
次に、（ｃ）の筒型取付け部材１１Ｃについて説明する。
筒型取付け部材１１Ｃは伸縮材で筒状に構成されている。筒の内径は対象とするエアータンク９０の外形よりもやや小さめとしておく。
筒型取付け部材１１Ｃをエアータンク９０に取り付けるには、カメラ等固定部材１２を外側にして筒を両手で広げエアータンク９０の上からエアータンク９０を筒内に通し、エアータンク９０の上部の適当な箇所で手を離せば強く引張した状態で筒型取付け部材１１Ｃはエアータンク９０に簡単にかつ確実に緊締されることができる。
【００１５】
図３はカメラ等固定部材１２の構造および機能を説明する図で、（ａ）は閉止状態、（ｂ）は使用状態を示している。
図（ａ）において、カメラ等固定部材１２の基部１２ａは固定具１３により帯状部１１に固定される。このときカメラ等固定部材１２は帯状部１１に対して回転できるようになっており、カメラ等固定部材１２を帯状部１１に対して所望の角度で固定具１３により固定することができる。
また、カメラ等固定部材１２は基部１２ａと旋回部１２ｂとが旋回ピン１２ｃによって９０°旋回可能となっている。そして旋回部１２ｂにはカメラ等を固定する固定具１２ｄが設けられている。
図（ｂ）において、旋回部１２ｂは基部１２ａから９０°旋回状態にあり、この旋回部１２ｂにカメラＣが固定具１２ｄにより固定されている。
【００１６】
図４はエアータンク固定部材２０の各種構成を示すもので、（ａ）はベルト型固定部材２０Ａ、（ｂ）は面ファスナー型固定部材２０Ｂ、（ｃ）は筒型固定部材２０Ｃの例である。
【００１７】
まず、（ａ）のベルト型固定部材２０Ａについて説明する。
（ａ）のベルト型固定部材２０Ａは、伸縮材で構成される帯状部２１Ａと、クランパ２２と、バックル２３Ａと、調節穴２４Ａとから成り、またバックル２３Ａは口字状リング２３１とバックルピン２３２を有している。
そこでこのベルト型固定部材２０Ａをエアータンク９０に取り付けるには、クランパ２２を外側にして帯状部２１Ａをエアータンク９０の下部近傍に巻き付け、帯状部２１Ａ先端を口字状リング２３１の内部に通し、帯状部２１Ａ先端を強く引張した状態でバックルピン２３２を調節穴２４Ａに挿通すればよい。このようにすれば、ベルト型固定部材２０Ａはエアータンク９０に確実に緊締されることができる。
このように緊締した状態で、次にクランパ２２を用いて海草木Ｇの根本を固定することにより一層安定度が増すこととなる。クランパ２２については図５で詳述する。
【００１８】
次に、（ｂ）の面ファスナー型固定部材２０Ｂについて説明する。
面ファスナー型固定部材２０Ｂは、同じく伸縮材で構成される帯状部２１Ｂと、クランパ２２と、面ファスナー２３Ｂ、２４Ｂとから成る。
そこでこの面ファスナー型固定部材２０Ｂのクランパ２２を外側にして帯状部２１Ｂをエアータンク９０の下部近傍に巻き付け、帯状部先端を強く引張した状態で面ファスナー２３Ｂと２４Ｂを圧接すればよい。このようにすれば面ファスナー型固定部材２０Ｂはエアータンク９０に簡単にかつ確実に緊締されることができる。
【００１９】
次に、（ｃ）の筒型固定部材２１Ｃについて説明する。
筒型固定部材２１Ｃは伸縮材で筒状に構成されている。筒の内径は対象とするエアータンク９０の外形よりもやや小さめとしておく。この筒型固定部材２１Ｃをエアータンク９０に取り付けるには、クランパ２２を外側にして筒を両手で広げエアータンク９０の下からエアータンク９０を筒内に通し、エアータンク９０の下部の適当な箇所で手を離せば強く引張した状態で筒型固定部材２１Ｃはエアータンク９０に簡単にかつ確実に緊締されることができる。
【００２０】
図５はクランパ２２の構造および機能を説明する図で、（ａ）は非使用状態、（ｂ）はクランパ回転状態、（ｃ）は基台回転状態、（ｄ）はクランパおよび基台共に回転状態をそれぞれ示している。
図（ａ）において、２２は本発明で用いられるクランパで、中間部分に形成された連結用回動部２２４で回動可能に配設された一対の挟み片２２１と２２２と、両挟み片２２１と２２２に亘って装着された略“Ｃ”形に形成されたスプリング２２３とを備えて成り、挟み片２２１と２２２の下方の圧接面はこのスプリング２２３により常時圧接され、挟み片２２１と２２２の上半部は開閉操作部となっていて、挟み片２２１と２２２の上半部を指で摘んで押圧することにより、スプリング２２３のスプリング圧に抗して挟み片２２１と２２２の下方の圧接面が互いに離間し、この間に対象物（今の場合、海底の草木（図１（ｂ）参照。）を挟むことによりクランパ２２は対象物に固定される。
【００２１】
一方、２２６は基台であり、この基台２２６は細長い板状をしており、その細長い板状の長さ方向中央付近に第１固定ピン２２７により帯状部２１に固定されている。しかもこの場合、基台２２６は常時帯状部２１側に押圧状態にあり、基台２２６を帯状部２１から離す方向に引っ張ることにより第１固定ピン２２７の軸上を移動し、この状態で帯状部２１と基台２２６との係合が解けて第１固定ピン２２７の軸に対して回転可能になる。そこで基台２２６を所定角度回転した後第１固定ピン２２７の軸上を元に戻すことにより、帯状部２１に対して所定角度回転した状態で再び帯状部２１に固定されることができることとなる。
【００２２】
そしてこの基台２２６にクランパ２２が第２固定ピン２２５を介して固定されている。すなわち、図（ａ）から解るように、基台２２６の細長い板状部材の端部付近にクランパ２２の挟み片２２２の下方の圧接面付近が第２固定ピン２２５を介して固定されている。第２固定ピン２２５の機能は第１固定ピン２２７の機能と全く同じである。すなわち、基台２２６に対してクランパ２２を引っ張ることにより両者の固定係合状態が外れ、クランパ２２は回転可能になる。そしてクランパ２２を所定角度回転した状態で元に戻すことによりクランパ２２は所定角度回転した状態で基台２２６に再び固定されることができる。
【００２３】
図（ｂ）は図（ａ）と比べて、クランパ２２が基台２２６に対して第２固定ピン２２５を中心に９０°回転した状態となっている。この状態でクランパ２２によって海底の草木Ｃの根本（図１（ｂ）参照）を挟んでおけば、エアータンク９０が海底に安定して固定されることとなる。
【００２４】
図（ｃ）は図（ａ）と比べて、基台２２６が帯状部２１に対して第１固定ピン２２７を中心に９０°回転した状態となっている。この状態のクランパ２２によって草木Ｃの掴みやすい幹（海底から若干高い部分）を挟むことができ、エアータンク９０は海底に安定して固定されることとなる。
【００２５】
図（ｄ）が図（ａ）〜（ｃ）と異なるところは、帯状部２１にクランパ２２が３個取り付けられている点である。そして各クランパ２２（ここでは１個のみ図示）は、その基台２２６が帯状部２１に対して第１固定ピン２２７を中心に９０°回転した状態となっており、かつ、クランパ２２が基台２２６に対して第２固定ピン２２５を中心に９０°回転した状態となっている。言い換えれば、図（ｂ）の状態から基台２２６を帯状部２１に対して第１固定ピン２２７を中心に９０°回転した状態、又は図（ｃ）の状態からクランパ２２を基台２２６に対して第２固定ピン２２５を中心に９０°回転した状態となっている。
この状態では、エアータンク９０は３個のクランパ２２（正確には、挟み片２２２）によって３点支持されることとなるので、凹凸の多い海底岩場の上でもエアータンク９０は海底に安定して固定されることができる。
【００２６】
図６は容積可変部材３０および空気量調整部材４０の構成を示す図である。
容積可変部材３０は通気性のない柔軟素材で筒状に形成されて成り、内部に任意量の空気が封入されることができるようになっている。筒の内径はここに挿入されるエアータンク９０の外形より若干小さめとしてある。ここから外部に通じるホース３５の先端にジョイントの一方３６が取り付けられている。
【００２７】
空気量調整部材４０にはホース４５と４６がそれぞれ内部に通じるように取り付けられており、その各ホースの先端にそれぞれジョイント４４と４７が取り付けられている。ジョイント４４にはエアータンク９０から延びるホース９２の先端に設けられたジョイント９１が係合し、ジョイント４７には容積可変部材３０から延びるホース３５の先端に設けられたジョイント３６が係合する。
また、空気量調整部材４０には吸気ボタン４１と排気ボタン４２があり、この吸気ボタン４１の押圧によりエアータンク９０からの空気がホース４５を通って空気量調整部材４０内に入り、さらにホース３５を通って容積可変部材３０内に入り容積を増加させ、エアータンク９０の浮力を増すことができる。
一方、排気ボタン４２の押圧により排気弁４３が開弁する。したがって排気ボタン４２の押圧により排気弁４３が開弁し外部に空気が放出され、容積可変部材３０の容積を減じるようになり、エアータンク９０の浮力を減らすことができる。
【００２８】
また、空気量調整部材４０の機能を容積可変部材３０それ自体に持たせてしまってもよい。すなわち、容積可変部材３０に吸気口と排気口を設け、これを開閉することによって空気供給量を調整できエアータンク９０の浮力調整を可能となり、操作し易くなる。
【００２９】
このように容積可変部材３０に空気を入れない状態ではタンクはマイナス浮力状態（沈降）にあり、また、吸気により浮力がつきプラス浮力とすることができる。浮力中は適度な吸気により、タンクに浮力があるためダイバーの負担にならない。エアータンクはダイバーの背中あるいは他の部分に固定可能である。
【００３０】
容積可変部材は必ずしも筒状である必要はなく、図７のように容積可変部材はエアマット状でもよい。図７はエアマット状の容積可変部材３０’および空気量調整部材４０の構成を示す図である。
容積可変部材３０’は通気性のない柔軟素材でエアマット状に形成されて成り、内部に任意量の空気が封入されることができる。これをエアータンク９０の外周に巻き付け、両端に設けられた面ファスナー３３、３４を圧接することで容積可変部材３０’はエアータンク９０に緊締される。
この容積可変部材３０’の使用の仕方は図６のそれと同じであり、説明は省略する。
【００３１】
以上のように、本発明のカメラ固定具を用いることにより、全天候型カメラあるいはカメラ収納具をエアータンク９０に取り付けることができ、そしてエアータンク９０は海中の岩場や樹木および海底に安定に固定することが可能となるので、最終的にカメラ等は海中や海底に安定に固定されることが可能となる。
しかもエアータンク９０は元々海中へ運搬するものでありこれを利用することによって三脚といった特別な部品が不要であり、さらに本発明のカメラ固定具を用いることにより三脚よりも重いエアータンク９０を海中では三脚よりも軽くして海中を運搬することができることになり、ダイバーにとって使い易いカメラ固定具となる。
【００３２】
さらに、その他の実施の形態としては、上記例では対象に応じて複数個のクランプを下側に向けて三脚の代用をしているが、簡易三脚をタンク底面に取り付け可能として、これを使用するようにしてもよい。
また、エアータンクの上下方向を水中で安定に保つために、タンク下部を重くしたり、錘を取り付けると良い。
さらに本発明のカメラ固定具の使い方としては、中性浮力状態を生じさせることができるので、水流が穏やかであれば、ダイバー本人から少し離れた位置にカメラを浮遊させてセルフタイマーで本人を撮影することも可能となる。
【００３３】
【発明の効果】
以上のように、本発明によれば、エアータンクを海中の岩場や樹木および海底に固定するエアータンク固定部材と、全天候型カメラあるいはカメラ収納具を前記エアータンクに取り付けるカメラ等取付け部材と、前記エアータンクの外壁の少なくとも一部を覆って内部にエアを取り込めるホースおよびジョイントを備えた容積可変部材と、前記容積可変部材の空気量を調節する空気量調整部材と、を備えたことにより、元々海中での必需品であるエアータンクを利用してこれにカメラ等取付け部材でカメラを固定するので特別な三脚が不要であり、また海底では空気を抜いてエアータンクを重くしてしかもエアータンク固定部材で海底、岩場、樹木に安定して固定するので三脚よりも安定するようになり、さらに容積可変部材でエアータンクの浮力を大きく変えることができるので、重量のあるエアータンクを本発明によれば海中で軽々と運搬できるようになるので、三脚よりも運搬性・安定性に富むものとなる。
もちろん緊急時にはタンク内の空気を予備エアーとして吸入することが可能であり、ダイバーや第三者にとって三脚よりも貴重なバックアップとなる。
【図面の簡単な説明】
【図１】本発明の実施の形態に係る水中でのカメラ固定具の全体図で，（ａ）は非使用状態、（ｂ）は海中での使用状態を示している。
【図２】カメラ等取付け部材の各種構成を示すもので、（ａ）はベルト型取付け部材、（ｂ）は面ファスナー型取付け部材、（ｃ）は筒型取付け部材の例である。
【図３】カメラ等固定部材の構造および機能を説明する図で、（ａ）は閉止状態、（ｂ）は使用状態を示している。
【図４】図４はエアータンク固定部材の各種構成を示すもので、（ａ）はベルト型固定部材、（ｂ）は面ファスナー型固定部材、（ｃ）は筒型固定部材の例である。
【図５】クランパの構造および機能を説明する図で、（ａ）は非使用状態、（ｂ）はクランパ回転状態、（ｃ）は基台回転状態、（ｄ）はクランパおよび基台共に回転状態をそれぞれ示している。
【図６】容積可変部材および空気量調整部材の構成を示す図である。
【図７】エアマット状の容積可変部材および空気量調整部材の構成を示す図である。
【符号の説明】
１０　カメラ等取付け部材
１０Ａ　ベルト型取付け部材
１０Ｂ　面ファスナー型取付け部材
１０Ｃ　筒型取付け部材
１１　帯状部１１
１２　カメラ等固定部材
１２ａ　基部
１２ｂ　旋回部
１２ｃ　旋回ピン
１２ｄ　固定具
１３　バックル
１３１　口字状リング
１３２　バックルピン
１３Ｂ、１４Ｂ　面ファスナー
１４　調節穴
２０　エアータンク固定部材
２２　クランパ
２２１、２２２　挟み片
２２３　スプリング
２２４　連結用回動部
２２５　第２固定ピン
２２６　基台
２２７　第１固定ピン
３０、３０’　容積可変部材
３３、３４　面ファスナー
３５、４５、４６、９２　ホース
３６、４４、４７　ジョイント
４０　空気量調整部材
４２　排気ボタン
４３　排気弁
９０　エアータンク
Ｃ　カメラ等
Ｇ　海底樹木、海草
【図１】
2004125849.tif 000003
【図２】
2004125849.tif 000004
【図３】
2004125849.tif 000005
【図４】
2004125849.tif 000006
【図５】
2004125849.tif 000007
【図６】
2004125849.tif 000008
【図７】
2004125849.tif 000009